(57)【要約】【課題】  座薬を容易に且つ確実に挿入することができる座薬挿入器を提供すること。【解決手段】  軸方向に貫通する貫通孔４を有する筒状本体６と、筒状本体６の基部側から貫通孔４に挿入されるプランジャ８とを備え、貫通孔４の先端側には座薬１６を保持するための座薬保持部が設けられた座薬挿入器。筒状本体６の先端部には環状フランジ部１４が設けられ、この環状フランジ部１４には弾性挿入案内カバー１８が着脱自在に装着される。弾性挿入案内カバー１８は先端側に向けて先細に形成され、筒状本体６の座薬保持部に保持された座薬１６の先端部を弾性的に保持する。筒状本体６の座薬保持部に座薬１６を保持し、プランジャ８を挿入方向に押すと、プランジャ８の先端部が座薬１６に作用し、座薬１６は弾性挿入案内カバー１８に案内されながら筒状本体６の貫通孔４から押し出される。【選択図】  図２
2009095642.tif 000002
【特許請求の範囲】
【請求項１】
軸方向に貫通する貫通孔を有する筒状本体と、前記筒状本体の基部側から前記貫通孔に挿入されるプランジャとを備え、前記貫通孔の先端側には座薬を保持するための座薬保持部が設けられている座薬挿入器において、
前記筒状本体の先端部には環状フランジ部が設けられ、前記環状フランジ部には弾性挿入案内カバーが着脱自在に装着されていることを特徴とする座薬挿入器。
【請求項２】
前記弾性挿入案内カバーは先端側に向けて先細に形成され、前記筒状本体の座薬保持部に保持された前記座薬の先端部を弾性的に保持し、
前記筒状本体の前記座薬保持部に前記座薬を保持し、前記弾性挿入案内カバーで覆われた前記環状フランジ部を患者の臀部に当てて前記プランジャを挿入方向に押すと、前記プランジャの先端部が前記座薬に作用し、前記座薬は前記弾性挿入案内カバーに案内されながら前記筒状本体の貫通孔から押し出されることを特徴とする請求項１に記載の座薬挿入器。
【請求項３】
前記プランジャは、前記先端部に設けられた押圧軸部と、後端部に設けられた操作部と、前記押圧軸部と前記操作部との間に設けられた中間接続部とを有し、前記中間接続部は少なくとも一部に径方向に弾性変形する弾性変形部を有し、また前記筒状本体の前記貫通孔は、前記基部側から内側に延びる第１テーパ部を有しており、前記操作部を挿入方向に挿入操作すると、前記中間接続部の前記弾性変形部は径方向に縮径しながら前記貫通孔の前記第１テーパ部に沿って挿入されることを特徴とする請求項１又は２に記載の座薬挿入器。
【請求項４】
前記筒状本体の前記貫通孔の前記第１テーパ部は、その断面形状が長円形状乃至楕円形状又は角の丸い長方形状であることを特徴とする請求項１〜３のいずれかに記載の座薬挿入器。
【請求項５】
前記筒状本体の前記貫通孔の前記第１テーパ部は、周方向に間隔をおいて複数の凹部が設けられ、前記プランジャの前記中間接続部は一対の接続部から構成され、前記一対の接続部が前記複数の凹部のうち対向する一対の凹部に挿入されて挿入方向に移動されることを特徴する請求項３に記載の座薬挿入器。
【請求項６】
前記筒状本体の前記貫通孔と前記プランジャとの間には、前記プランジャを座薬保持位置に保持するための位置決め保持手段が設けられていることを特徴とする請求項１〜５のいずれかに記載の座薬保持器。
【請求項７】
前記プランジャの前記操作部は、前記中間接続部に接続された環状の第１基部側指掛け部及び前記第１基部側指掛け部からこれと反対方向に延びる第２基部側指掛け部を有する基部側指掛け手段から構成され、また前記筒状本体の前記先端部には先端側指掛け手段が設けられ、前記先端側指掛け手段は、前記筒状本体の所定部位に設けられた環状の第１先端側指掛け部と、前記所定部位と反対部位から延びる第２先端側指掛け部とを有していることを特徴とする請求項２〜６のいずれかに記載の座薬挿入器。
【請求項８】
前記プランジャの前記操作部は、前記中間接続部に接続された環状の基部側指掛け部から構成され、また前記筒状本体の前記先端部には先端側指掛け手段が設けられ、前記先端側指掛け手段は、前記筒状本体の所定部位に設けられた環状の第１先端側指掛け部と、前記所定部位と反対部位から延びる第２先端側指掛け部とを有していることを特徴とする請求項２〜６のいずれかに記載の座薬挿入器。
【請求項９】
軸方向に貫通する貫通孔を有する筒状本体と、前記筒状本体の基部側から前記貫通孔に挿入されるプランジャとを備え、前記貫通孔の先端側には座薬を保持するための座薬保持部が設けられている座薬挿入器において、
前記プランジャは、前記先端部に設けられた押圧軸部と、後端部に設けられた操作部と、前記押圧軸部と前記操作部との間に設けられた中間接続部とを有し、前記中間接続部は少なくとも一部に径方向に弾性変形する弾性変形部を有し、また前記筒状本体の前記貫通孔は、前記基部側から内側に延びる第１テーパ部を有しており、前記操作部を挿入方向に挿入操作すると、前記中間接続部の前記弾性変形部は径方向に縮径しながら前記貫通孔の前記第１テーパ部に沿って挿入されることを特徴とする座薬挿入器。
【請求項１０】
前記プランジャの前記中間接続部の基部には、前記プランジャの挿入方向の移動を調整するためのスペーサ部材が着脱自在に装着され、前記スペーサ部材に対応する前記弾性案内挿入カバーが前記筒状本体の前記環状フランジ部に着脱自在に装着されることを特徴とする請求項２又は９に記載の座薬挿入器。
【発明の詳細な説明】
【技術分野】
【０００１】
本発明は、座薬を肛門又は膣に挿入するための座薬挿入器に関する。
【背景技術】
【０００２】
患部に直接的に触れることなく座薬を肛門又は膣に挿入する器具として種々の座薬挿入器が提案されている。この座薬挿入器の一例として、貫通孔を有する筒状本体と、この筒状本体の貫通孔に挿入されるプランジャとを備えたものが知られている（例えば、特許文献１参照）。筒状本体の一端部（先端部）には肛門当部が設けられ、その他端部には指掛け部が設けられ、またプランジャの基部には押板が設けられている。筒状本体の貫通孔にプランジャの先端部が挿入され、かく挿入した状態で、この貫通孔の先端側から座薬が挿入される。そして、座薬を肛門に挿入するときには、肛門当部を肛門に当て、かかる状態にて指掛け部に指を掛けてプランジャの押板を挿入方向に押せばよい。このように押圧すると、プランジャの作用によって座薬が筒状本体から押し出され、押し出された座薬が肛門に挿入される。
【０００３】
【特許文献１】特開２０００−１５７６３８号公報
【発明の開示】
【発明が解決しようとする課題】
【０００４】
しかしながら、上述した座薬挿入器には、次の通りの解決すべき問題がある。第１に、筒状本体の先端側から直接的に肛門に挿入するために、自分でもって操作して挿入するのが難しく、更なる改良が望まれていた。第２に、座薬を肛門の括約筋まで深く挿入するためには、筒状本体からのプランジャの突出量を大きくしなければならいが、プランジャが露出するこの種の形態のものでは、その突出量が大きくなると使用上の安全性を確保するのが難しくなる。
【０００５】
本発明の目的は、座薬を容易に且つ確実に挿入することができる座薬挿入器を提供することである。
本発明の他の目的は、座薬を安全に挿入することができる座薬挿入器を提供することである。
【課題を解決するための手段】
【０００６】
本発明の請求項１に記載の座薬挿入器は、軸方向に貫通する貫通孔を有する筒状本体と、前記筒状本体の基部側から前記貫通孔に挿入されるプランジャとを備え、前記貫通孔の先端側には座薬を保持するための座薬保持部が設けられている座薬挿入器において、
前記筒状本体の先端部には環状フランジ部が設けられ、前記環状フランジ部には弾性挿入案内カバーが着脱自在に装着されていることを特徴とする。
【０００７】
また、本発明の請求項２に記載の座薬挿入器では、前記弾性挿入案内カバーは先端側に向けて先細に形成され、前記筒状本体の座薬保持部に保持された前記座薬の先端部を弾性的に保持し、
前記筒状本体の前記座薬保持部に前記座薬を保持し、前記弾性挿入案内カバーで覆われた前記環状フランジ部を患者の臀部に当てて前記プランジャを挿入方向に押すと、前記プランジャの先端部が前記座薬に作用し、前記座薬は前記弾性挿入案内カバーに案内されながら前記筒状本体の貫通孔から押し出されることを特徴とする。
【０００８】
また、本発明の請求項３に記載の座薬挿入器では  前記プランジャは、前記先端部に設けられた押圧軸部と、後端部に設けられた操作部と、前記押圧軸部と前記操作部との間に設けられた中間接続部とを有し、前記中間接続部は少なくとも一部に径方向に弾性変形する弾性変形部を有し、また前記筒状本体の前記貫通孔は、前記基部側から内側に延びる第１テーパ部を有しており、前記操作部を挿入方向に挿入操作すると、前記中間接続部の前記弾性変形部は径方向に縮径しながら前記貫通孔の前記第１テーパ部に沿って挿入されることを特徴とする。
【０００９】
また、本発明の請求項４に記載の座薬挿入器では、前記筒状本体の前記貫通孔の前記第１テーパ部は、その断面形状が長円形状乃至楕円形状又は角の丸い長方形状であることを特徴とする。
【００１０】
また、本発明の請求項５に記載の座薬挿入器では、前記筒状本体の前記貫通孔の前記第１テーパ部は、周方向に間隔をおいて複数の凹部が設けられ、前記プランジャの前記中間接続部は一対の接続部から構成され、前記一対の接続部が前記複数の凹部のうち対向する一対の凹部に挿入されて挿入方向に移動されることを特徴する。
【００１１】
また、本発明の請求項６に記載の座薬挿入器では、前記筒状本体の前記貫通孔と前記プランジャとの間には、前記プランジャを座薬保持位置に保持するための位置決め保持手段が設けられていることを特徴とする。
【００１２】
また、本発明の請求項７に記載の座薬挿入器では、前記プランジャの前記操作部は、前記中間接続部に接続された環状の第１基部側指掛け部及び前記第１基部側指掛け部からこれと反対方向に延びる第２基部側指掛け部を有する基部側指掛け手段から構成され、また前記筒状本体の前記先端部には先端側指掛け手段が設けられ、前記先端側指掛け手段は、前記筒状本体の所定部位に設けられた環状の第１先端側指掛け部と、前記所定部位と反対部位から延びる第２先端側指掛け部とを有していることを特徴とする。
【００１３】
また、本発明の請求項８に記載の座薬挿入器では、前記プランジャの前記操作部は、前記中間接続部に接続された環状の基部側指掛け部から構成され、また前記筒状本体の前記先端部には先端側指掛け手段が設けられ、前記先端側指掛け手段は、前記筒状本体の所定部位に設けられた環状の第１先端側指掛け部と、前記所定部位と反対部位から延びる第２先端側指掛け部とを有していることを特徴とする。
【００１４】
更に、本発明の請求項９に記載の座薬挿入器では、軸方向に貫通する貫通孔を有する筒状本体と、前記筒状本体の基部側から前記貫通孔に挿入されるプランジャとを備え、前記貫通孔の先端側には座薬を保持するための座薬保持部が設けられている座薬挿入器において、
前記プランジャは、前記先端部に設けられた押圧軸部と、後端部に設けられた操作部と、前記押圧軸部と前記操作部との間に設けられた中間接続部とを有し、前記中間接続部は少なくとも一部に径方向に弾性変形する弾性変形部を有し、また前記筒状本体の前記貫通孔は、前記基部側から内側に延びる第１テーパ部を有しており、前記操作部を挿入方向に挿入操作すると、前記中間接続部の前記弾性変形部は径方向に縮径しながら前記貫通孔の前記第１テーパ部に沿って挿入されることを特徴とする。
【００１５】
更にまた、本発明の請求項１０に記載の座薬挿入器では、前記プランジャの前記中間接続部の基部には、前記プランジャの挿入方向の移動を調整するためのスペーサ部材が着脱自在に装着され、前記スペーサ部材に対応する前記弾性案内挿入カバーが前記筒状本体の前記環状フランジ部に着脱自在に装着されることを特徴とする。
【発明の効果】
【００１６】
本発明の請求項１に記載の座薬挿入器によれば、筒状本体の先端部に環状フランジ部が設けられ、かかる環状フランジ部に弾性挿入案内カバーが着脱自在に装着されて環状フランジを覆っているので、弾性挿入案内カバーを取り替えすることが可能となり、座薬の挿入後に新しいものと交換することによって、弾性挿入カバーを衛生的に清潔な状態に保つことができる。
【００１７】
また、本発明の請求項２に記載の座薬挿入器によれば、筒状本体の環状フランジ部を臀部などに所要の通り当てることにより弾性挿入案内カバーの先端部が肛門（又は膣）に位置し、従って、この弾性挿入案内カバーを通して座薬を肛門（又は膣）に導いて肛門（又は膣）に容易に且つ確実に挿入することができる。また、弾性挿入案内カバーは先端側に向けて先細に形成されているので、この弾性挿入案内カバーは筒状本体の座薬保持部に保持された座薬の先端部を保持し、座薬を確実に保持することができるとともに、肛門（又は膣）に確実に導くことができる。
【００１８】
また、本発明の請求項３及び９に記載の座薬挿入器によれば、プランジャの中間接続部には、少なくともその一部に径方向に弾性変形する弾性変形部を有し、筒状本体の貫通孔は基部側から内側に延びる第１テーパ部を有しているので、操作部を挿入方向に挿入操作すると、プランジャの弾性変形部が径方向に縮径しながら第１テーパ部に沿って挿入され、これによって、挿入の際に適度の抵抗力が生じ、不注意により座薬を強く挿入することを防止することができる。
【００１９】
また、本発明の請求項４に記載の座薬挿入器によれば、筒状本体の貫通孔の第１テーパ部は、その断面形状が長円形状乃至楕円形状（又は角の丸い長方形状）であるので、筒状本体に対するプランジャの相対的回動が防止され、挿入操作の際にこのプランジャが軸方向に移動され、プランジャの挿入操作を容易に安定して行うことができる。
【００２０】
また、本発明の請求項５に記載の座薬挿入器では、筒状本体の貫通孔の第１テーパ部に周方向に間隔をおいて複数の凹部が設けられ、プランジャの中間接部が一対の接続部から構成されているので、一対の接続部が複数の凹部の任意の一対の凹部に挿入され、これによって、筒状本体に対するプランジャの相対的角度位置を任意に選択することができ、操作者の障害などに対応した操作し易い角度位置に保持して挿入方向に挿入操作することができ、この操作時においても筒状本体に対してプランジャが不用意に相対的に移動することが防止することができる。尚、これら凹部は、筒状本体の第１テーパ部の内周面に凹溝を形成し、この凹溝を凹部として機能させるようしてもよく、或いはこの第１テーパ部の内周面に複数の突条を設け、隣接する突条間の部位を凹部として機能させるようにしてもよい。
【００２１】
また、本発明の請求項６に記載の座薬挿入器によれば、筒状本体の貫通孔とプランジャとの間に位置決め保持手段が設けられているので、このプランジャを座薬保持位置に保持し、座薬が不用意に押し出されることを防止することができる。尚、位置決め保持手段は、例えば、プランジャに設けられた位置決め凸部と筒状本体に設けられた位置決め凹部との組合せから構成される。
【００２２】
また、本発明の請求項７に記載の座薬挿入器によれば、プランジャの操作部は、中間接続部に接続された環状の第１基部側指掛け部及びこの第１基部側指掛け部から横方向に延びる第２基部側指掛け部を有し、また筒状本体の先端側の先端側指掛け手段は、筒状本体の所定部位に設けられた環状の第１先端側指掛け部と、所定部位と反対部位から延びる第２先端側指掛け部とを有しているので、他人の肛門（又は膣）への座薬の挿入操作及び操作本人の肛門（又は膣）への座薬の挿入操作を容易に行うことができる。
【００２３】
更に、本発明の請求項８に記載の座薬挿入器によれば、プランジャの操作部は、中間接続部に接続された環状の基部側指掛け部から構成され、また筒状本体の先端側の先端側指掛け手段は、筒状本体の所定部位に設けられた環状の第１先端側指掛け部と、所定部位と反対部位から延びる第２先端側指掛け部とを有しているので、このように構成することによっても、他人の肛門（又は膣）への座薬の挿入操作及び操作本人の肛門（又は膣）への座薬の挿入操作を容易に行うことができる。
【００２４】
更にまた、本発明の請求項１０に記載の座薬挿入器によれば、プランジャの中間接続部のスペーサ部材が着脱自在に装着されるので、このスペーサ部材によって、プランジャの挿入方向の移動量を調整することができ、このことに関連して、スペーサ部材に対応する弾性案内挿入カバーを用いることによって、サイズの異なる座薬を所要の通りに保持して挿入することができ、例えば大人用座薬のみならず小児用座薬の挿入にも適用することが可能となる。
【発明を実施するための最良の形態】
【００２５】
以下、添付図面を参照して、本発明に従う座薬挿入器の最良の実施形態について説明する。図１は、第１の実施形態の座薬挿入器を示す正面図であり、図２は、図１の座薬挿入器の断面図であり、図３は、図１の座薬挿入器においてプランジャを座薬挿入位置まで挿入した状態を示す断面図であり、図４（ａ）〜（ｃ）は、座薬挿入器の変形例の一部を拡大して示す断面図であり、図５は、図１の座薬挿入器においてプランジャを１８０度回動させて挿入した状態を示す断面図である。
【００２６】
図１及び図２において、図示の座薬挿入器２は、軸方向（図１及び図２において上下方向）に延びる貫通孔４を有する筒状本体６と、筒状本体６の貫通孔４に基部側（図１及び図２において下側）から挿入されるプランジャ８とを備え、筒状本体６及びプランジャ８は、例えばポリプロピレンなどの合成樹脂から形成される。
【００２７】
筒状本体６の貫通孔４は、その基部側の開口端から軸方向内側に延びる第１テーパ部１０と、その先端側の開口端から軸方向内側に延びる第２テーパ部１２とを有している。この形態では、第１テーパ部１０は第２テーパ部１２よりも長くて大きく、筒状本体６の先端部近傍まで延びている。この貫通孔４（即ち、第１及び第２テーパ部１０，１２）の断面形状は、長円形状乃至楕円形状に形成するのが好ましく、角の丸い長方形状に形成するようにしてもよい。
【００２８】
筒状本体６の先端部には、径方向外方に突出する環状フランジ部１４が一体的に設けられ、使用者が座薬１６を挿入するとき、後述するように、この環状フランジ部１４を患者の臀部に当てて挿入するようになる。この環状フランジ部１４には、先端側から覆うように弾性挿入案内カバー１８が着脱自在に装着される。弾性挿入案内カバー１８は、環状フランジ部１４に装着される環状基部２０と、この環状基部２０の内周部から先端側に延びる案内保持部２２とを有している。案内保持部２２は先端に向けて先細に形成され、その先端に円形開口２４が設けられ、この円形開口２４を通して座薬１６が押し出される。この弾性挿入案内カバー１８は、例えば天然ゴムなどの弾性材料から形成され、このような弾性材料から形成することによって、後述するように、座薬１６を弾性的に保持することができるとともに、プランジャ８を挿入操作したときに座薬１６を肛門（又は膣）に導くことができ、更に座薬挿入の際に患部を傷つけることもなく、患者に優しい座薬挿入器となる。
【００２９】
筒状本体６の先端部に保持された座薬１６の先端とこの環状フランジ部１４を覆う弾性挿入案内カバー１８の表面との間の距離Ｌ（図２参照）は、この弾性挿入案内カバー１８の表面（環状基部２０の表面）を患者の臀部に押し当てたときに座薬１６の先端部が肛門の括約筋に挿入される状態となるように設定するのが望ましく、このように構成することにより、後述するようにプランジャ８を挿入操作することによって、座薬１６を押し戻されることなく肛門の括約筋内に挿入することが可能となる。
【００３０】
また、プランジャ８は、先端側の押圧軸部２６と、後端側の操作部２８と、押圧軸部２６と操作部２８との間に設けられた中間接続部３０とを有し、中間接続部３０には、ほぼ全体にわたって径方向に弾性変形する弾性変形部が設けられている。この弾性変形部は少なくともその一部に設けることによって後述する所望の効果が得られる。
【００３１】
この形態では、中間接続部３０の弾性変形部は一対の接続部３２から構成され、これら接続部３２は、貫通孔４の第１テーパ部１０のテーパ面に略対応して、押圧軸部２６に向けて径方向内方に直線状に傾斜して延びる傾斜部を有している。かかる接続部３２の先端部は押圧軸部２６に接続され、それらの後端部は径方向内方に屈曲して操作部２８に接続され、径方向に弾性変形可能に構成されている。
【００３２】
また、操作部２８は基部側指掛け手段３３から構成され、この基部側指掛け手段３３は環状の第１基部側指掛け部３４と略Ｊ字状の第２基部側指掛け部３６とを有し、一対の接続部３２が第１基部側指掛け部３４の一端部近傍に接続され、第２基部側指掛け部３６は第１基部側指掛け部３４のこの一端部から第１基部側指掛け部３４と反対側に延びている。
【００３３】
このプランジャ８は、図１及び図２に示す座薬保持位置と、図３に示す座薬挿入位置との間を軸方向に移動可能に構成されている。座薬保持位置においては、プランジャ８の押圧軸部２６は貫通孔４の第１テーパ部１０と第２テーパ部１２との境界部、換言すると貫通孔４の最小内径部に位置し、その中間接続部３０の後端側及び操作部２８は筒状本体６から外側に突出する。この状態においては、筒状本体６の先端側から座薬１６を貫通孔４の第２テーパ部１２に挿入することができ、かかる座薬１６の挿入は、弾性挿入案内カバー１８を環状フランジ部１４から取り外すことによって容易に行うことができる。貫通孔４の上記最小内径部の内径は使用する座薬１６の外径よりも小さく、挿入された座薬１６は、図２に示すように、その後端部が第２テーパ部１２に保持され、その先端部が弾性挿入案内カバー１８に弾性的に保持され、第２テーパ部１２は座薬を保持するための座薬保持部として機能する。尚、この座薬１６の装着は、弾性挿入案内カバー１８の先端部に装着保持した後この弾性挿入案内カバー１８を筒状本体６の環状フランジ１４に取り付けるようにしても容易に行うことができる。
【００３４】
座薬１６は、大人の患者に使用する大人用のもの、小人の患者に使用する小人用のものなど各種のものが存在し、このことに関連して、案内保持部２２の長さが異なる複数種のものを用意するのが望ましく、複数種の弾性挿入案内カバー１８から適切なものを選択使用することによって、大人、小人であっても、弾性挿入案内カバー１８の表面を患者の臀部に押し当てたときに座薬１６の先端部が肛門の括約筋に挿入される状態となり、座薬１６を所要の通りに肛門の括約筋内に挿入することが可能となる。
【００３５】
また、座薬挿入位置においては、図３に示すように、プランジャ８の操作部２８（具体的には、環状の第１基部側指掛け部３４）が筒状本体６の後端部に当接し、この座薬挿入位置を越える移動が阻止され、座薬１６が肛門（又は膣）内に異常に深く挿入されるのが防止される。この挿入状態においては、プランジャ８の押圧軸部２６が弾性挿入案内カバー１８の先端部近傍まで移動し、筒状本体６の第２テーパ部１２（即ち、座薬保持部）に保持された座薬１６は弾性挿入案内カバー１８から外側に押し出される。尚、このとき、プランジャ８の押圧軸部２６の先端部は弾性挿入案内カバー１８内に位置し、座薬１６を挿入する患者の患部に直接的に作用することはなく、挿入の際の安全性が確保される。
【００３６】
この座薬挿入器２においては、プランジャ８の基部側指掛け手段３３に対応して、筒状本体６の先端部に先端側指掛け手段３８が設けられている。この先端側指掛け手段３８は、環状の第１先端側指掛け部４０（実施形態では、筒状本体６の一部と協働して第１先端側指掛け部を構成している）と略Ｊ字状の第２先端側指掛け部４２とを有している。この第１先端側指掛け部４０は、筒状本体６の所定部位に設けられ、また第２先端側指掛け部４２は筒状本体６の上記所定部位と反対の部位に設けられている。
【００３７】
この先端側指掛け手段３８は、基部側指掛け手段３３と実質上平行に延びるように配置される。更に説明すると、筒状本体６の第１テーパ部１０は長円形状乃至楕円形状に形成され、プランジャ８の中間接続部３０は一対の接続部３２から構成されているので、かかる一対の接続部３２は第１テーパ部１０の長径部に位置し、筒状本体６に対するプランジャ８の相対的回動が防止される。
【００３８】
図２に示すプランジャ８の第１の装着状態においては、基部側指掛け手段３３の第１基部側指掛け部３４と先端側指掛け手段３８の第１先端側指掛け部４０とが座薬挿入器２の片側（図２及び図３において右側）に位置し、また基部側指掛け手段３３の第２基部側指掛け部３６と先端側指掛け手段３８の第２先端側指掛け部４２とが座薬挿入器２の他側（図２及び図３において左側）に位置し、第２基部側指掛け部３４は横方向に延びた後基端側に湾曲し、第２先端側指掛け部４２は横方向に延びた後先端側に湾曲している。他人の患部に座薬１６を挿入するときなどにおいては、この第１の装着状態に装着することによって、挿入操作を容易に行うことができる。
【００３９】
また、図５に示すプランジャ８の第２の装着状態（図２に示す状態から１８０度回動させた装着状態）においては、基部側指掛け手段３３の第２基部側指掛け部３６と先端側指掛け手段３８の第１先端側指掛け部４０とが座薬挿入器２の片側（図５において右側）に位置し、また基部側指掛け手段３３の第１基部側指掛け部３４と先端側指掛け手段３８の第２先端側指掛け部４２とが座薬挿入器２の他側（図５において左側）に位置する。使用者自身の患部に座薬１６を挿入するなどにおいては、この第２の装着状態に装着することによって、挿入操作を容易に行うことができる。
【００４０】
この座薬挿入器２においては、プランジャ８の座薬保持位置に位置決め保持するために位置決め保持手段を設けることができる。図４（ａ）における位置決め保持手段５２は、プランジャ８の中間接続部３０（この実施形態では、一対の接続部３２）と筒状本体６との間に設けられ、筒状本体６の内面に設けられた位置決め凹部５４とプランジャ８の一対の接続部３２の外面に設けられた位置決め凸部５６との組合せから構成され、位置決め凸部５６が位置決め凹部５４に係合することによって、プランジャ８が上記座薬保持位置に保持される。
【００４１】
図４（ｂ）における位置決め保持手段５２Ａは、筒状本体６の開口端部の内面に設けられた位置決め凹部５４Ａとプランジャ８の一対の接続部３２の外面に設けられた位置決め凸部５６Ａとの組合せから構成され、位置決め凸部５６Ｂが筒状本体６の位置決め凹部５４Ａの底部に当接することによって、プランジャ８が上記座薬保持位置に保持される。
【００４２】
図４（ｃ）における位置決め保持手段５２Ｂは、筒状本体６の開口端部とプランジャ８の一対の接続部３２の外面に設けられた位置決め凸部５６Ｂとの組合せから構成され、位置決め凸部５６Ｂが筒状本体６の開口端に当接することによって、プランジャ８が上記座薬保持位置に保持される。
【００４３】
この座薬挿入器２は、例えば次の通りに使用される。筒状本体６の基部側からプランジャ８を挿入して座薬保持位置に保持する。このとき、第１の装着状態で使用するときには、図２及び図３に示すようにプランジャ８を装着すればよく、また第２の装着状態で使用するときには、図５に示すようにプランジャ８を装着すればよい。
【００４４】
このようにプランジャ８を装着した後、筒状本体６の貫通孔４の第２テーパ部１２（座薬保持部）に座薬１６を挿入して載置し、この座薬１６を覆うように筒状本体６の環状フランジ部１４に弾性挿入案内カバー１８を装着する。尚、座薬１６を弾性挿入案内カバー１８にその先端部がのぞくように装着した後に、この弾性挿入案内カバー１８を筒状本体６のフランジ部１４に装着するようにしてもよい。
【００４５】
このように座薬１６を装着して準備した後、弾性挿入案内カバー１８の先端部を座薬１６を挿入する患部、例えば肛門に近づけ、筒状本体１６の環状フランジ部１４を患者の臀部に押し当てる。この押し当て状態においては、環状フランジ部１４が弾性挿入案内カバー１８の環状基部２０により覆われているので、患者の患部にはこの弾性挿入案内カバー１８しか触れることがなく、衛生的に清潔な状態に保つことができるとともに、患部を傷つけることもない。また、このような押し当て状態においては、座薬１６の先端部が肛門の括約筋に挿入される状態となる。
【００４６】
その後、プランジャ８を矢印５８（図３）で示す挿入方向に操作すればよい。かく操作すると、プランジャ８は、筒状本体６の第１テーパ部１０に沿って挿入され、中間接続部３０が弾性変形しながら挿入され（即ち、一対の接続部３２が径方向内側に弾性変形しながら挿入される）、この挿入に伴ってプランジャ８の押圧軸部２６が座薬１６に作用し、座薬１６は弾性挿入案内カバー１８に案内されながら外側に押し出される。このとき、一対の接続部３２の弾性変形によってプランジャ８に摩擦による適度の抵抗力が生じ、プランジャ８を挿入方向にゆっくり安全に挿入することができ、これによって、座薬１６を除々に肛門に挿入することができる。
【００４７】
そして、プランジャ８を座薬挿入位置まで操作すると、図５に示すように、座薬１６は弾性挿入案内カバー２の開口２４を通して完全に押し出され、このようにして座薬１６を患部である例えば肛門の括約筋に押し戻されない部位まで所要の通りに挿入することができる。
【００４８】
以上、本発明に従う座薬挿入器の一実施形態について説明したが、本発明はかかる実施形態に限定されるものではなく、本発明の範囲を逸脱することなく種々の変形乃至修正が可能である。
【００４９】
たとえば、上述した実施形態では、プランジャ８の中間接続部３０を一対の接続部３２から構成しているが、このような構成に代えて、例えば図６に示すように構成することもできる。図６は、第１の変形形態のプランジャを備えた座薬挿入器を示す断面図である。尚、以下の変形形態において、上述した実施形態と実質上同一の部材には同一の参照番号を付し、その説明を省略する。
【００５０】
図６において、第１の変形形態では、プランジャ８Ｃの中間接続部３０Ｃの中間部に弾性変形部６０が設けられ、この弾性変形部６０は、その内部に中空部６２を有している。この中空部６２を有する弾性変形部６０は、プランジャ８Ｃを挿入方向に挿入操作すると筒状本体６の第１テーパ面に沿って径方向内方に弾性変形され、上述した実施形態と同様の作用効果が達成される。
【００５１】
また、例えば、上述した実施形態では、筒状本体６の先端側に第２テーパ部１２を設け、この第２テーパ部１２を座薬保持部として機能させているが、必ずしもこのように構成する必要はなく、第２テーパ部１２に代えて肩部を設け、かかる肩部でもって座薬保持部を構成するようにしてもよい。
【００５２】
次に、図７〜図１０を参照して、第２の実施形態の座薬挿入器について説明する。図７は、第２の実施形態の座薬挿入器を一部断面で示す断面図であり、図８は、図７の座薬挿入器のスペーサ部材を示す平面図であり、図９は、図７の座薬挿入器においてプランジャを挿入した状態を示す図であり、図１０は、図７におけるＸ−Ｘ線による断面図である。この第２の実施形態においては、座薬の複数のサイズに適用可能に構成されている。
【００５３】
図７〜図９において、この第２の実施形態においては、プランジャ８Ｄの中間接続部３０Ｄの基部、即ち一対の接続部３２Ｄの基部が一体的になって操作部２８Ｄに接続され、この中間接続部３０Ｄの基部にスペーサ部材９２が着脱自在に装着されるように構成されている。スペーサ部材９２は略Ｃ字状のスペーサ本体９４を備え、このスペーサ本体９４の両端部に内方に延びる保持部９６が設けられ、かかる一対の保持部９６間にプランジャ８Ｄの中間接続部３０Ｄの基部が挿入されるように構成されている（図７、図９参照）。
【００５４】
また、このようにスペーサ部材９２を装着して使用する場合、図９から理解される如く、プランジャ８Ｄの挿入方向の移動がこのスペーサ部材９２によって制限されるために、プランジャ８Ｄの押圧軸部２６の筒状本体６Ｄからの突出量が少なくなる。このようなことから、座薬６Ｄとしてサイズの小さいもの、例えば小人用座薬を使用するときに、プランジャ８Ｄの中間接続部３０Ｄの基部にスペーサ部材９２が着脱自在に装着される。また、このことに関連して、サイズの小さな座薬１６Ｄを所要の通りに保持案内するために、挿入する座薬１６Ｄに対応した、換言すると、用いるスペーサ部材９２に対応した弾性挿入案内カバー１８Ｄが用いられ、この弾性挿入案内カバー１８Ｄが筒状本体６の環状フランジ１４に着脱自在に装着される。この弾性挿入案内カバー１８Ｄにおいては、環状フランジ１４に装着される環状基部２０Ｄは、上述した実施形態のものと同じ構成であるが、座薬１６Ｄを挿入案内するための案内保持部２２Ｄは、座薬１６Ｄのサイズに対応して上述した実施形態のものよりも長さが短くなっている。
【００５５】
また、この第２の実施形態では、操作部２８Ｄが環状の基部側指掛け部３４Ｄから構成され、この基部側指掛け部３４Ｄの略中央部に中間接続部３０Ｄの基部が接続されている。基部側指掛け部３４Ｄ細長い略リング状であり、その一端部（図７においては左側部、図９においては右側部）は、その他端部（図７においてに右側部、図９において左側部）よりも小さく、基部側指掛け部３４Ｄに手を挿入するとき、人差し指が上記一端部側となり、小指が上記他端部側となるように挿入される。
【００５６】
更に、この第２の実施形態では、図１０に示すように、筒状本体６Ｄの第１テーパ部１０Ｄの内周面に周方向に間隔をおいて複数の凹溝７２が設けられ、これら凹溝７２は座薬１６Ｄの挿入方向（図１０において紙面に垂直な方向）に直線状に延びている。かかる凹溝７２は、プランジャ８Ｄの中間接続部３０Ｄの一対の接続部３２Ｄを案内するための凹部として機能する。
【００５７】
中間接続部３０Ｄに関連して上述した如く構成されているので、プランジャ８Ｄの一対の接続部３２Ｄは筒状本体６Ｄの複数の凹溝７２の任意の対向する一対の凹溝７２に挿入され、かく挿入可能にすることによって、筒状本体６Ｄに対するプランジャ８Ｄの相対的角度位置を適宜に設定する、換言すると、筒状本体６Ｄの先端側指掛け手段３８に対するプランジャ８Ｄの基部側指掛け部３４Ｄの相対的角度位置を適宜設定することができ、例えば操作者の障害など対応した操作し安い角度位置に保持して挿入方向に挿入することができる。尚、第２の実施形態のその他の構成は、上述した第１の実施形態と実質上同一である。
【００５８】
この座薬挿入器を用いて小さいサイズの座薬１６Ｄを例えば肛門に挿入する際には、プランジャ８Ｄの中間接続部３０Ｄの基部に、座薬１６Ｄのサイズに対応するスペーサ部材９２を装着するとともに、筒状本体６Ｄの環状フランジ部１４に、座薬１６Ｄのサイズに対応する弾性挿入案内カバー１８Ｄを装着する。スペーサ部材９２を装着すると、その一対の保持部９６がプランジャ８Ｄの中間接続部３０Ｄを弾性的に挟持し、このようにしてスペーサ部材９２が着脱自在に取り付けられる。尚、座薬１６Ｄの装着は、例えば、弾性挿入案内カバー１８Ｄを装着する際に上述したようにして行うことができる。
【００５９】
その後、プランジャ８Ｄを挿入方向に移動させる。かく移動させると、プランジャ８Ｄの移動に伴いその押圧軸部２６が座薬１６Ｄに作用して筒状本体６Ｄから押し出し、押し出された座薬１６Ｄが患者の例えば肛門内に挿入される。このとき、プランジャ８Ｄを所定距離移動させると、スペーサ部材９２が筒状本体６Ｄの端面に当接し、座薬１６Ｄの更なる挿入が確実に阻止され、座薬１６Ｄを安全に挿入することができる。
【００６０】
尚、座薬の種類（サイズ）に対応して複数種のスペーサ部材９２及び弾性挿入案内カバー１８Ｄを用意し、挿入する座薬１６Ｄに対応するスペーサ部材９２及び弾性挿入案内カバー１８Ｄを着脱自在に装着することによって、この座薬挿入器を用いて各種サイズの座薬１６Ｄを所要の通りに挿入することができる。
【００６１】
この第２の実施形態では、筒状本体の内周面に凹溝を設けているが、このような構成に代えて、図１１に示すように構成することができる。図１１は、筒状本体の変形形態を示す断面図である。
【００６２】
図１１において、この変形形態おいては、筒状本体６Ｅの第１テーパ部１０Ｅの内周面に周方向に間隔をおいて複数の突条８２が設けられ、これら突状８２は座薬の挿入方向（図１１において紙面に垂直な方向）に直線状に延びている。かかる構成では、隣接する一対の突条８２間の部位８４が、プランジャ８Ｄの中間接続部３０Ｄの一対の接続部３２Ｄを案内するための凹部として機能する。この変形形態のその他の構成は、上述の第２の実施形態と実質上同一である。
【００６３】
この変形形態においても、プランジャ８Ｄの一対の接続部３２Ｄが筒状本体６Ｅの複数の部位８４（一対の突条８２間の部位であって、凹部として機能する）の任意の対向する一対の部位８４（凹部）に挿入され、かく挿入可能にすることによって、筒状本体６Ｅに対するプランジャ８Ｄの相対的角度位置を適宜に設定することができ、上述したと同様の効果を達成することができる。
【図面の簡単な説明】
【００６４】
【図１】第１の実施形態の座薬挿入器を示す正面図。
【図２】図１の座薬挿入器の断面図。
【図３】図１の座薬挿入器においてプランジャを座薬挿入位置まで挿入した状態を示す断面図。
【図４】図４（ａ）〜（ｃ）は、座薬挿入器の変形例の一部を拡大して示す断面図。
【図５】図１の座薬挿入器においてプランジャを１８０度回動させて挿入した状態を示す断面図。
【図６】プランジャの変形形態を示す断面図。
【図７】第２の実施形態の座薬挿入器を一部断面で示す断面図。
【図８】図７の座薬挿入器のスペーサ部材を示す平面図。
【図９】図７の座薬挿入器においてプランジャを挿入した状態を示す図。
【図１０】図７におけるＸ−Ｘ線による断面図。
【図１１】筒状本体の変形形態を示す断面図。
【符号の説明】
【００６５】
２  座薬挿入器
４  貫通孔
６，６Ｄ，６Ｅ  筒状本体
８，８Ｃ、８Ｄ  プランジャ
１０，１０Ｄ，１０Ｅ  第１テーパ部
１２  第２テーパ部
１４  環状フランジ
１６，１６Ｄ  座薬
１８，１８Ｄ  弾性挿入案内カバー
２６  押圧軸部
２８  操作部
３０，３０Ｃ，３０Ｄ  中間接続部
３３  基部側指掛け手段
３８  先端側指掛け手段
５２，５２Ａ，５２Ｂ  位置決め保持手段
７２  凹溝
８２  突条
９２  スペーサ部材
【図１】
2009095642.tif 000003
【図２】
2009095642.tif 000004
【図３】
2009095642.tif 000005
【図４】
2009095642.tif 000006
【図５】
2009095642.tif 000007
【図６】
2009095642.tif 000008
【図７】
2009095642.tif 000009
【図８】
2009095642.tif 000010
【図９】
2009095642.tif 000011
【図１０】
2009095642.tif 000012
【図１１】
2009095642.tif 000013